(57)【要約】【課題】    内部短絡のおそれがなく、充放電容量が大きな非水電解液電池用正極およびそれを用いた電池を提供する。【解決手段】  正極集電体と、前記集電体上に形成した正極活物質の塗布膜と、前記塗布膜の端部に沿って形成された正極活物質の厚さが変化する不均一領域と、前記不均一領域および隣接する前記集電体表面の一部に立設された突起状絶縁体とを有し、前記不均一領域の表面に立設された突起状絶縁体は、前記不均一領域の表面を通じた電池反応物質の移動を可能とする低い配置密度で配置されており、前記集電体表面の一部に立設された突起状絶縁体は、前記不均一領域の表面に立設された突起状絶縁体に比して、高い配置密度で配置されている非水電解液電池用正極電極およびそれを用いた非水電解液二次電池。【選択図】  図１
2013176161.tif 000002
【特許請求の範囲】
【請求項１】
正極集電体と、
前記集電体上に形成した正極活物質の塗布膜と、
前記塗布膜の端部に沿って形成された正極活物質の厚さが変化する不均一領域と、
前記不均一領域および隣接する前記集電体表面の一部に立設された突起状絶縁体とを有し、
前記不均一領域の表面に立設された突起状絶縁体は、それぞれが独立した突起状絶縁体で形成され、前記不均一領域の表面を通じた電池反応物質の移動を可能とする低い配置密度で配置されており、
前記集電体表面の一部に立設された突起状絶縁体は、前記不均一領域の表面に立設された突起状絶縁体に比して、高い配置密度で配置されたことを特徴とする非水電解液電池用正極電極。
【請求項２】
前記突起状絶縁体は、正極電極の正極引出タブ表面と隣接する前記不均一領域表面に形成されたことを特徴とする請求項1記載の非水電解液電池用正極電極。
【請求項３】
前記突起状絶縁体は、点状、または帯状に設けたものであることを特徴とする請求項１または２のいずれか１項記載の非水電解液電池用正極電極。
【請求項４】
前記突起状絶縁体は、硬化性組成物をインクジェット塗布手段によって塗布して形成されたものであることを特徴とする請求項１から３のいずれか１項記載の非水電解液電池用正極電極。
【請求項５】
請求項１から４のいずれかに記載の正極電極と、前記正極電極よりも面積が大きな負極電極をセパレーターを介して対向して配置されたことを特徴とする非水電解液二次電池。
【請求項６】
リチウムイオン電池であることを特徴とする請求項５記載の非水電解液二次電池。
【発明の詳細な説明】
【技術分野】
【０００１】
本発明は、リチウムイオン二次電池等の非水電解液電池用正極、およびそれを用いた非水電解液二次電池に関する。
【背景技術】
【０００２】
リチウムイオン二次電池等の非水電解液二次電池では、正極電極と負極電極をセパレーターを介して積層しているので、電極の端部での対極との接触による短絡を防止するために一方の電極の端部に絶縁層を形成することが行われている。しかしながら、短絡防止目的で形成した絶縁層によって充放電時に対極との物質移動経路が少なくなる結果、電池の充放電容量の減少が避けられないと言う問題があった。
そこで、充放電容量の低下を招くことなく短絡防止を実現する提案が行われている。
例えば、巻回型電池に使用する帯状の集電体に形成した電極の長さ方向の両端部に形成される突出部上の部位に貫通ホールを有する絶縁層、すなわち絶縁テープまたは絶縁性被覆を形成することで、貫通ホールを通じた物質の移動を実現して充放電容量の低下を防止することが提案されている（例えば、特許文献１参照）。
【先行技術文献】
【特許文献】
【０００３】
【特許文献１】特開２００６−４０８７８号公報
【発明の概要】
【発明が解決しようとする課題】
【０００４】
電池電極の内部短絡防止を電池の充放電容量を低下させることなく実現するために、特許文献１に記載のように、電極活物質の突出部上の部位に貫通孔を有する絶縁テープを貼り付けた場合には、絶縁テープは貫通ホールの部位を除いてすべての部位が一体の部材に形成されている。このような貫通ホールを有する絶縁テープまたは絶縁層は電池の充放電時の電極活物質の有効利用の目的で利用した場合には、以下の様な問題があった。【０００５】
図７は、電池内部短絡の可能性を減らすために絶縁層を形成するとともに、絶縁層の形成による電池の容量の減少を少なくするリチウムイオン二次電池を説明する図であって、集電体上に電極活物質層形成した電池電極を説明する断面図である。電池短絡防止の目的で貫通孔を有するテープ２０５を電極活物質層２０３の塗布端を越えて集電体２０１まで貼り付けた部材は、一つの層状体として連続しているので絶縁層と基材の電池電極との間の熱膨張率の相違による影響が大きく、図に示すように電池電極の変形を生じさせるという問題があった。
【課題を解決するための手段】
【０００６】
本発明の課題は、正極集電体と、前記集電体上に形成した正極活物質の塗布膜と、前記塗布膜の端部に沿って形成された正極活物質の厚さが変化する不均一領域と、前記不均一領域および隣接する前記集電体表面の一部に立設された突起状絶縁体とを有し、前記不均一領域の表面に立設された突起状絶縁体は、それぞれが独立した突起状絶縁体で形成され、前記不均一領域の表面を通じた電池反応物質の移動を可能とする低い配置密度で配置されており、前記不均一領域の表面に立設された突起状絶縁体は、前記不均一領域の表面を通じた電池反応物質の移動を可能とする低い配置密度で配置されており、前記集電体表面の一部に立設された突起状絶縁体は、前記不均一領域の表面に立設された突起状絶縁体に比して、高い配置密度で配置された非水電解液電池用正極電極である。
前記突起状絶縁体は、正極電極の正極引出タブ表面と隣接する前記不均一領域表面に形成された前記の非水電解液電池用正極電極である。
前記突起状絶縁体は、点状、または帯状に設けた前記の非水電解液電池用正極電極である。
前記突起状絶縁体は、硬化性組成物をインクジェット塗布手段によって塗布して形成されたものである前記の非水電解液電池用正極電極である。
前記のいずれかに記載の正極電極と、前記正極電極よりも面積が大きな負極電極をセパレーターを介して対向して配置した非水電解液二次電池である。
リチウムイオン電池である前記の非水電解液二次電池である。
【発明の効果】
【０００７】
本発明の非水電解液電池用正極は、正極引出タブの部位に設けた絶縁部材として、突起状絶縁体を配置密度を変えて配置したので、温度変化による絶縁性部材の変形はなく対極との短絡を防止するとともに、突起状絶縁体の間を通じた両電極間の物質の移動が実現できるので、安全性が大きく活物質の利用効率が大きな効率的な電池を提供することができる。
【図面の簡単な説明】
【０００８】
【図１】図１は、本発明の非水電解液電池用正極の一例を説明する図である。
【図２】図２は、本発明の正極電極の他の実施態様を説明する図である。
【図３】図３は、本発明で使用可能な突起状絶縁体の一例を説明する図である。
【図４】図４は、本発明の正極電極の製造方法を説明する図である。
【図５】図５は、本発明の正極電極の切り出し工程を説明する図である
【図６】図６は、本発明の正極電極を用いた非水電解液二次電池を説明する図である。
【図７】図７は、内部短絡の可能性を減らすとともに、電池の容量の減少を少なくする従来のリチウムイオン二次電池を説明する図である。
【発明を実施するための形態】
【０００９】
以下、本発明を図面を参照して説明する。
図１は、本発明の非水電解液電池用正極の一例を説明する図である。図１Ａは、平面図、図１Ｂは、図１のＡ−Ａ’線で切断した断面図である。また、図１Ｃは、図１Ｂの正極端子から正極活物質層の一部分を拡大して説明する断面図である。
なお、本発明において、リチウムイオン二次電池を例に挙げて説明するとともに、図面が複雑になるのを避けるために集電体の片面のみに活物質層を設ける図を示して説明しているが、活物質層は、集電体の片面のみに形成する電池電極に限るものではなく、集電体の両面に活物質層を形成したものについてもそれぞれの面に同様の構成で作製することができる。
【００１０】
本発明の正極電極１００は、正極集電体１０１の表面に、リチウムマンガン複合酸化物、リチウムコバルト複合酸化物等のリチウム遷移金属複合酸化物、カーボンブラック等の導電性付与剤、結着剤等を配合したスラリーを塗布、乾燥することで作製した正極電極活物質層１０３を有している。また、正極集電体１０１には正極引出タブ１０２が一体に形成されている。
正極電極活物質層１０３の形成は、正極集電体１０１の表面にダイコーター等を使用して塗布することで製造することができるが、塗布端部には図１Ｂで示すように傾斜面１０５が生じる。この領域は、以下の説明では不均一領域１０７とも称す。
不均一領域１０７の表面の一部から、正極活物質層の厚みが小さくなる方向へ向けて，正極引出タブ１０２上まで絶縁部材１１０が配置されている。
【００１１】
絶縁部材１１０は、不均一領域１０７表面に、相互の間隔を設けて配置した低密度突起状絶縁体１１１を配置して構成した低密度領域１１２と、集電体上に低密度突起状体１１１に比べて相互の間隔を小さくして突起状絶縁体を配置した高密度突起状絶縁体１１３を設けた高密度領域１１５から構成されている。
以上の様に、不均一領域１０７の表面の少なくとも一部から集電体表面１０１に向けて、突起状絶縁体の配置密度が小さな低密度領域１１２を形成することによって、不均一領域での電池反応を充分に活用するとともに、電池反応には寄与しない集電体面には突起状絶縁体を高密度で配置した高密度領域１１５を設けることで、内部短絡の防止をより確実なものとすることができる。
【００１２】
図２は、本発明の正極電極の他の実施態様を説明する図である。
図２Ａは、正極電極面を上面から見た平面図を示し、図２Ｂは，図２Ａの側面図である。
正極電極集電体１０１に塗布装置によって正極活物質層１０３を形成する際には、正極活物質層１０３の塗布端部に多少の位置ずれ１１１ａが生じることが避けられない。
したがって、位置ずれ１１１ａを考慮して低密度領域１１１を形成する幅を決めることで、実用的な大きさの低密度領域１１１を作製することが可能となる。
また、低密度領域１１１および高密度領域１１５は、明確な区別を設けることなく、低密度領域１１１から高密度領域１１５に向けて徐々に密度が変化するものであってもよい。
【００１３】
図３は、本発明で使用可能な突起状絶縁体の一例を説明する図であって，いずれも上面から見た平面図である。
突起状絶縁体の配置密度が小さなＡ１は低密度突起状絶縁体であって、Ａ２は、Ａ１における、Ａ−Ａ’線の断面図で示す様に乳様突起状絶縁体の一例を示す図である。
Ｂ１の突起状絶縁体は、凸条の突起状絶縁体を平行に配列した低密度突起状絶縁体の一例を示す図である。
これに対して、Ｃ１は、高密度突起状絶縁体であって、Ａ１で示すものと同様の乳様突起状絶縁体を高密度に配置したものである。
また、Ｄ１は、高密度突起状絶縁体であるが、多数の突起状絶縁体を高密度に形成したものである。これらは、作製する電池の大きさ等に応じて適宜使用することができる。
【００１４】
本発明における配置密度が低い領域である低密度領域に配置する低密度突起状絶縁体は、突起状絶縁体の高さは５〜１００μｍ、好ましくは５〜６０μｍ、更に好ましくは、５〜４０μｍである。また、各突起状絶縁体の径は５０〜６００μｍ、好ましくは５０〜５００μｍである。また、突起状絶縁体の外形を結ぶ領域に対して突起状絶縁体を投影した総面積の割合が２０〜７０％、好ましくは３０〜６０％とすることが好ましい。
また、本発明における配置密度が高い領域である高密度領域に配置する高密度突起状絶縁体は、突起状絶縁体の高さは、５〜１００μｍ、好ましくは５〜６０μｍ、更に好ましくは、５〜４０μｍである。突起状絶縁体の径は５０〜６００μｍ、好ましくは５０〜５００μｍであることが好ましい。また、突起状絶縁体の外形を結ぶ領域に対して突起状絶縁体を投影した総面積の割合が７５〜１００％、好ましくは８０〜１００％とすることが好ましい。
【００１５】
各突起状絶縁体は、乳様突起に限らず、円錐状、円柱状等の各種の形状のものを用いることができる。また、高さ方向に垂直な面での断面形状は、円形、楕円形等の曲線状とすることが好ましい。突起状絶縁体の中心を通る高さ方向の平面での断面形状は、長方形、放物線等の曲線等の左右に対称な図形で囲まれた形状とすることが好ましい。
【００１６】
図４は、本発明の正極電極の製造方法を説明する図である。
図４Ａは、正極原反の正極電極面を上面から見た平面図を示し、図４Ｂは，図４Ａの側面の一部を拡大した図を示す。
図４Ａは、帯状の集電体１０１の表面に，長手方向の中心線１２０に対称に所定の配合で調製した正極活物質のスラリーを塗布、乾燥して正極電極活物質層１０３を形成した正極電極原反１０８を示す。
正極電極原反１０８を移動方向１２１へ移動しながらインクジェット塗布手段１３０によって硬化性組成物を塗布した後に硬化することで製造することができる。硬化性組成物としては、熱硬化性組成物、紫外線硬化性組成物を用いることができる。
また、本発明では、低密度領域にそれぞれが独立した突起状絶縁体を用いたので、熱による変形を受けにくく、熱硬化性組成物を用いた場合にも特性の優れた正極電極原反を作製することができる。
【００１７】
図５は、本発明の正極電極の切り出し工程を説明する図である
図５Ａに示すように、集電体１０１の長手方向の中心線１２０に対称に、正極活物質層１０３を塗布した後に、中心線１２０に対称に長さ方向に所定の幅で低密度突起状絶縁体１１１、高密度突起状絶縁体１１３を形成する。
次いで、各単位電極の周囲の切断線１３５、および中心線１２０に沿って打ち抜くことで、図５Ｂに示す正極電極を効率的に製造することができる。
【００１８】
図６は、本発明の正極電極を用いた非水電解液二次電池を説明する図である。
図６Ａに示すように、本発明の正極電極１００には、正極活物質層から正極引出タブ１０２が延びる部分の正極活物質層の外縁部には、絶縁性の低密度突起状絶縁体１１１と絶縁性の高密度突起状絶縁体１１３が形成されている。
一方、図６Ｂに示すように負極電極２１０は、正極よりも大きな面積を有しているので、図６Ｃに示すように正極電極１００は、負極電極２１０と外形が等しい袋状セパレーター４００に収納して、図６Ｄに示すように負極電極と交互に積層して、固定テープ４１０によって固定することで電池要素の積層体が完成する。
正極電極１００の正極引出タブ１０２の正極活物質層の外縁部は低密度突起状絶縁体１１１と高密度突起状絶縁体１１３によって被覆されているので、万一、セパレーターが収縮した状態になっても正極電極１００の正極引出タブ１０２は、正極電極１００よりも面積が大きな負極電極２１０との短絡を未然に防止することができる。
【産業上の利用可能性】
【００１９】
本発明の非水電解液電池用正極は、正極引出タブの部位に設けた絶縁性の保護膜として、突起状絶縁体を複数個配置した絶縁性部材を配置したので、対極との短絡を防止するとともに、突起状絶縁体の間を通じた両電極間の物質の移動が実現できるので、安全性が大きく活物質の利用効率が大きな効率的な電池を提供することができる。
【符号の説明】
【００２０】
１００・・・正極電極、１０１・・・正極集電体、１０２・・・正極引出タブ、１０３・・・正極電極活物質層、１０５・・・傾斜面、１０７・・・不均一領域、１０８・・・正極電極原反、１１０・・・絶縁部材、１１１・・・低密度突起状絶縁体、１１１ａ・・・位置ずれ、１１２・・・低密度領域、１１３・・・高密度突起状絶縁体、１１５・・・高密度領域、１２０・・・長手方向の中心線、１２１・・・移動方向、・１３０・・インクジェット塗布手段、１３５・・・切断線、２１０・・・負極電極、４００・・・袋状セパレーター、４１０・・・固定テープ
【図１】
2013176161.tif 000003
【図２】
2013176161.tif 000004
【図３】
2013176161.tif 000005
【図４】
2013176161.tif 000006
【図５】
2013176161.tif 000007
【図６】
2013176161.tif 000008
【図７】
2013176161.tif 000009
【国際調査報告】
2013176161.tif 000010
2013176161.tif 000011
2013176161.tif 000012
2013176161.tif 000013